(57)【要約】      （修正有）【課題】ミネラルウォーター類に溶解しているミネラル成分、味覚及び風味等を損なうことなく、貯水タンク内のミネラルウォーター類を、顧客の持参した大型容器内に効率よく所定量流入して販売すると共に、設置作業や施工性が好適なミネラルウォーター類自動販売装置を提供する。【解決手段】ミネラルウォーター類自動販売装置Ｍは、採水地からタンクロ−リ等により搬送され、ミネラルウォーター類を貯水する貯水タンク１と接続管路を介して連結される給水装置１０からなり、当該給水装置１０は、ハウジング１１内には加圧ポンプ、垂直管路、水平往管路の配管部材と左円筒状濾過装置、右円筒状濾過装置等から構成されている。【選択図】図１
0003132010.tif 000002
【実用新案登録請求の範囲】
【請求項１】
屋内外に設置され、ミネラルウォーター類を顧客の持参した受水容器に所定量給水するミネラルウォーター類自動販売装置において、
該ミネラルウォーター類自動販売装置が、ミネラルウォーター類を常時貯水する貯水タンク、給水装置及び接続管路から構成され、
給水装置のハウジング内に、給水管路、加圧ポンプ、垂直管路、水平往復管路及び円筒状濾過装置を収納してなり、給水管路は、垂直管路の下端部に加圧ポンプを介在させる形で接続され、
垂直管路の上端部が、水平往復管路基部の往管路に接続され、
円筒状濾過装置の上端部の流入口が、該往復管路先端部の往管路に、円筒状濾過装置の上端部の流出口が、該往復管路先端部の復管路に、円筒状濾過装置を吊下げる形で接続され、該復管路基部の復管路を通って、出水口からミネラルウォーター類が顧客の持参した受水容器に供給され、該往復管路の往管路と復管路は水平で近接並行してなり、
貯水タンクと給水装置の下部に設置される給水管入口は、接続管路により接続されることを特徴とするミネラルウォーター類自動販売装置。
【請求項２】
前記貯水タンク内容器は、鋼製のメッシュ状外枠で被覆されると共に、貯水タンクの底部隅部には緩衝部材を配設したことを特徴とする請求項１記載のミネラルウォーター類自動販売装置。
【請求項３】
前記ハウジングの正面板には、残量ランプ、給水スイッチ、出水口が配備されると共に、取り扱い説明書が貼付されていることを特徴とする請求項１〜請求項２の何れかに記載のミネラルウォーター類自動販売装置。
【請求項４】
前記円筒状濾過装置は、濾過フィルターとステンレス製のケーシングからなり、当該ケーシングは、ハウジングの壁面に取付具を介して垂直に掛吊されていることを特徴とする請求項１〜請求項３の何れかに記載のミネラルウォーター類自動販売装置。
【請求項５】
前記電磁弁、流量計、流量調整バルブ及びこれらを連結する水平往復管路は、前記出水口と略同一水平面であることを特徴とする請求項１〜請求項４の何れかに記載のミネラルウォーター類自動販売装置。
【請求項６】
前記ハウジングの正面板底部には、受水容器載置用の台板が設置されていることを特徴とする請求項１〜請求項５の何れかに記載のミネラルウォーター類給水装置。
【請求項７】
前記台板の底部四隅には、キャスター又は固定ボルトが配設されていることを特徴とする請求項１〜請求項６の何れかに記載のミネラルウォーター類自動販売装置。
【請求項８】
前記ハウジングは、背面板を除きステンレス製であることを特徴とする請求項１〜請求項７の何れかに記載のミネラルウォーター類自動販売装置。
【考案の詳細な説明】
【技術分野】
【０００１】
本願考案は、ミネラルウォーター類自動販売装置に関する。より詳しくは、ミネラルウォーター類を貯水タンクに貯留し、加圧ポンプ、円筒状濾過装置等を介し、顧客が持参する（大型の）受水容器に随時供給販売することができるミネラルウォーター類自動販売装置に関する。
【背景技術】
【０００２】
近年、飲料水は、スーパーマーケット、コンビニエンスストア又は自動販売機等で購入するのが常識となっている。これは都市化や温暖化等による水不足が深刻化し、また農薬、合成洗剤等の化学物質による水質汚染が進行し、そのため家庭で使用する水道水は、消毒用薬剤で臭気があるために飲用されなくなり、さらに健康指向とも相俟ってミネラルウォーター類の需要が急速に増加している。
【０００３】
日本におけるミネラルウォーター類は４つに分類される。農水省のミネラルウォーター品質表示ガイドラインによれば、ミネラルウォーター類とは、地中のミネラル分が溶解した地下水をいい、濾過・沈澱・加熱以外の処理をしていないもので、ミネラルウォーターとは、地中のミネラル分が溶解した地下水をいい、濾過・沈澱・加熱殺菌のほか、オゾン殺菌・紫外線殺菌・ミネラル分調整・ブレンド等を行ったものとされ、ナチュラルウォーターは、ミネラル分の溶解が少ない地下水をいい、濾過・沈澱・加熱殺菌以外の処理をしてないもので、ボトルドウォーターは、飲料可能な水で純水・蒸留水、河川の表流水、水道水等で、処理方法に限定はない。
【０００４】
ミネラルウォーター類の品質を損なわず、飲料水、調理用水等に使用される天然水の供給装置として、例えば、特開平７−９５３及び特開平７−９５４等が開示されている。
また特開平７−９５３の「天然水貯蔵・供給装置」は、貯水槽中に貯水されている飲料用ミネラルウォーター等の天然水の天然性を確保しつつ、天然水中に雑菌が繁殖するのを阻止して、随時、天然水の元来の品質を充分に保有している衛生上安全な良品質の天然水を安定して供給し得る天然水貯蔵・供給装置を提供することを目的とし、天然水貯水槽と、天然水貯水槽内の天然水中に没入されて配設される紫外線殺菌灯と、前記天然水貯水槽中の紫外線殺菌灯付近の天然水とその他の天然水とを常時循環させる循環手段と、紫外線殺菌済み天然水の導出口とから構成されてなることを特徴としている。
また、特開平７−９５４の「天然水貯蔵・供給装置」は、天然水の元来の品質を充分に保有している衛生上安全な良品質の天然水を随時安定して供給し得る天然水貯蔵・供給装置の提供を目的とし、天然水貯水槽と、天然水貯水槽から管路で導出された天然水を流動状態で殺菌処理する流水管路の中に紫外線殺菌灯を内設してなる紫外線流水殺菌装置内を流れる天然水と管路にて連結させて両天然水の間を循環させる循環手段と、紫外線流水殺菌済み天然水の導出口とから構成されてなることを特徴としている。
【特許文献１】特開平７−９５３号公報
【特許文献２】特開平７−９５４号公報
【考案の開示】
【考案が解決しようとする課題】
【０００５】
上記の特許文献１及び特許文献２の天然水貯蔵・供給装置は、殺菌手段として何れも天然水中で紫外線殺菌灯を使用するために、天然水の味覚要素である酸素や二酸化炭素等の溶存ガス量が減少することになり、天然水としての風味、まろやかさ等が損なわれる欠点がある。また紫外線殺菌灯の使用によりミネラルウォーター類としての表示、販売等はできないことになる。
したがって、ミネラルウォーター類を販売するための本願考案は、上記引用文献に記載の考案とは全く別異の考案である。
【０００６】
本願考案の課題は、地中深部から汲み上げるか又は自然湧水しミネラルウォーター類を採水し、当該ミネラルウォーター類に溶解しているミネラル成分、味覚及び風味等を損なうことなく、常時貯水タンクに貯水しておき顧客の持参した大型容器内に効率よく所定量流入して販売すると共に、設置作業や施工性が好適なミネラルウォーター類自動販売装置を提供することにある。
【課題を解決するための手段】
【０００７】
本願考案者は、上記の従来技術が有する、各種の問題点に鑑み、鋭意検討を重ね、特に
特許文献１〜２にあるような、紫外線殺菌、オゾン殺菌、ミネラル分調整やブレンド等を行うことなく、天然水としての風味豊かなミネラルウォーター類を提供する本願考案を完成したものである。
本願の明細書、図面に記載の用語についての解釈上の疑義を解消すべく、以下本明細書、図面に記載する用語の説明を行うこととする。
＜用語の説明＞
○  ミネラルウォーター類とは、本願明細書等においては、ナチュラルウォーミネラルウォーター類、ミネラルウォーターをいうものとする。
ここに、ナチュラルウォーミネラルウォーター類、ミネラルウォーターとは、以下のとおりである。
１９９０年に農林水産省が定めたガイドラインによれば、「ミネラルウォーター類」と呼ばれる水は、下表のように原料によって４種類に分けられている。
0003132010.tif 000003
ミネラル分の濃度や量については特に規制されていない。
本願考案においては、ミネラルウォーター類には、ボトルドウォーターは含まれないものとする。
○ミネラルウォーター類自動販売装置とは、屋内外に設置され、ミネラルウォーター類を顧客の持参した受水容器に所定量自動的に給水して販売するための装置をいう。
○貯水タンクとは、ミネラルウォーター類を常時貯水するためのタンクをいう。
○給水装置とは、ハウジング、給水管路、加圧ポンプ、垂直管路、水平往復管路及び円筒状濾過装置等からなり、ハウジング内に、給水管路、加圧ポンプ、垂直管路、水平往復管路及び円筒状濾過装置等を収納してなる。
○ハウジングとは、給水管路、加圧ポンプ、垂直管路、水平往復管路及び円筒状濾過装置等を収納する箱形の部分をいう。
○給水管路は、垂直管路の下端部に加圧ポンプを介在させる形で接続される管路をいう。
○加圧ポンプとは、常時貯水する貯水タンクから、接続管路、給水管路、垂直管路、水平往復管路基部の往管路、円筒状濾過装置、水平往復管路基部の復管路を通って、出水管から、ミネラルウォーター類が顧客の持参した受水容器に供給されるために、ミネラルウォーター類を加圧して供給するためのポンプをいう。
○垂直管路とは、給水装置のハウジング内の下部に設置された給水管路と接続された垂直管路であって、ミネラルウォーター類の通路だけでなく、給水装置のハウジングと給水管路と垂直管路が一体となって、水平往復管路及び円筒状濾過装置とを支える強度を有している。
○水平往復管路とは、往管路（水平往管路ともいう。）と往管路（水平復管路ともいう。）からなり、垂直管路の上端部が、水平往復管路基部の往管路に接続され、円筒状濾過装置の上端部の流入口が、該往復管路先端部の往管路に、円筒状濾過装置の上端部の流出口が、該往復管路先端部の復管路に、円筒状濾過装置を吊下げる形で接続され、該復管路基部の復管路を通って、出水口からミネラルウォーター類が顧客の持参した受水容器に供給され、該往復管路の往管路と復管路は水平で近接並行してなる。
○円筒状濾過装置とは、濾過フィルターとケーシングからなり、濾過フィルターがケーシング内に収納されている。そして、円筒状濾過装置の上端部の流入口が、該往復管路先端部の往管路に、円筒状濾過装置の上端部の流出口が、該往復管路先端部の復管路に、円筒状濾過装置を吊下げる形で接続される。
○接続管路とは、貯水タンクと給水装置の下部に設置される給水管入口とを接続する管路である。
＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
課題を解決するための手段（第１考案〜第８考案）は、本願、実用新案登録請求の範囲の各請求項に記載の考案であり、具体的には、
第１考案は、請求項１に記載の考案であり、
第２考案は、請求項２に記載の考案であり、
第３考案は、請求項３に記載の考案であり、
第４考案は、請求項４に記載の考案であり、
第５考案は、請求項５に記載の考案であり、
第６考案は、請求項６に記載の考案であり、
第７考案は、請求項７に記載の考案であり、
第８考案は、請求項８に記載の考案である。
具体的な課題を解決するための手段は、以下の通りである。
【０００８】
［第１考案］
屋内外に設置され、ミネラルウォーター類を顧客の持参した受水容器に所定量給水するミネラルウォーター類自動販売装置において、
該ミネラルウォーター類自動販売装置が、ミネラルウォーター類を常時貯水する貯水タンク、給水装置及び接続管路から構成され、
給水装置のハウジング内に、給水管路、加圧ポンプ、垂直管路、水平往復管路及び円筒状濾過装置を収納してなり、給水管路は、垂直管路の下端部に加圧ポンプを介在させる形で接続され、
垂直管路の上端部が、水平往復管路基部の往管路に接続され、
円筒状濾過装置の上端部の流入口が、該往復管路先端部の往管路に、円筒状濾過装置の上端部の流出口が、該往復管路先端部の復管路に、円筒状濾過装置を吊下げる形で接続され、該復管路基部の復管路を通って、出水口からミネラルウォーター類が顧客の持参した受水容器に供給され、該往復管路の往管路と復管路は水平で近接並行してなり、
貯水タンクと給水装置の下部に設置される給水管入口は、接続管路により接続されることを特徴とするミネラルウォーター類自動販売装置。
【０００９】
［第２考案］
前記貯水タンク内容器は、鋼製のメッシュ状外枠で被覆されると共に、貯水タンクの底部隅部には緩衝部材を配設したことを特徴とする第１考案に記載のミネラルウォーター類自動販売装置。
【００１０】
［第３考案］
前記ハウジングの正面板には、残量ランプ、給水スイッチ、出水口が配備されると共に、取り扱い説明書が貼付されていることを特徴とする第１考案〜第２考案の何れかに記載のミネラルウォーター類自動販売装置。
【００１１】
［第４考案］
前記円筒状濾過装置は、濾過フィルターとステンレス製のケーシングからなり、当該ケーシングは、ハウジングの壁面に取付具を介して垂直に掛吊されていることを特徴とする第１考案〜第３考案の何れかに記載のミネラルウォーター類自動販売装置。
【００１２】
［第５考案］
前記電磁弁、流量計、流量調整バルブ及びこれらを連結する水平往復管路は、前記出水口と略同一水平面であることを特徴とする第１考案〜第４考案の何れかに記載のミネラルウォーター類自動販売装置。
【００１３】
［第６考案］
前記ハウジングの正面板底部には、受水容器載置用の台板が設置されていることを特徴とする第１考案〜第５考案の何れかに記載のミネラルウォーター類給水装置。
【００１４】
［第７考案］
前記台板の底部四隅には、キャスター又は固定ボルトが配設されていることを特徴とする第１考案〜第６考案の何れかに記載のミネラルウォーター類自動販売装置。
【００１５】
［第８考案］
前記ハウジングは、背面板を除きステンレス製であることを特徴とする第１考案〜第７考案の何れかに記載のミネラルウォーター類自動販売装置。
【考案の効果】
【００１６】
本願考案に係る、ミネラルウォーター類自動販売装置は、上記の構成になるから以下の効果を奏する。
○第１考案によれば、  屋内外に設置され、ミネラルウォーター類を顧客の持参した受水容器に所定量給水するミネラルウォーター類自動販売装置において、
該ミネラルウォーター類自動販売装置が、ミネラルウォーター類を常時貯水する貯水タンク、給水装置及び接続管路から構成され、
給水装置のハウジング内に、給水管路、加圧ポンプ、垂直管路、水平往復管路及び円筒状濾過装置を収納してなり、給水管路は、垂直管路の下端部に加圧ポンプを介在させる形で接続され、
垂直管路の上端部が、水平往復管路基部の往管路に接続され、
円筒状濾過装置の上端部の流入口が、該往復管路先端部の往管路に、円筒状濾過装置の上端部の流出口が、該往復管路先端部の復管路に、円筒状濾過装置を吊下げる形で接続され、該復管路基部の復管路を通って、出水口からミネラルウォーター類が、顧客の持参した受水容器に供給され、該往復管路の往管路と復管路は水平で近接並行してなり、
貯水タンクと給水装置の下部に設置される給水管入口は、接続管路により接続されることを特徴とするので、
貯水タンク内のミネラルウォーター類であるミネラルウォーター類は、加圧ポンプで加圧されて円筒状濾過装置に導通され、濾過フィルターにより濾過されて給水されるので、「地中深部から汲み上げるか又は自然湧水しミネラルウォーター類を採水し、当該ミネラルウォーター類に溶解しているミネラル成分、味覚及び風味等を損なうことなく、常時貯水タンクに貯水しておき顧客の持参した大型容器内に効率よく所定量流入して販売すると共に、設置作業や施工性が好適なミネラルウォーター類自動販売装置を提供すること」ができるという本考案の特有の効果を奏する。
さらに、本願考案の特徴的構成とすることによって、以下のような本願考案の特有の効果を奏することができる。                        
（１）貯水タンクと給水装置は、それぞれ個別に製作され、地面を平坦とした設置場所に、それぞれ個別に搬入され、フォークリフトやクレーン等の設置機器により簡便に設置作業を進捗することができ、給水装置は、予めハウジング内に加圧ポンプ、垂直管路、水平往復管路、流量計、電磁弁、流量調整バルブ、円筒状濾過装置等の配管工事を容易かつ簡便に施工することができる。
（２）「垂直管路の上端部が、水平往復管路基部の往管路に接続され、
円筒状濾過装置の上端部の流入口が、該往復管路先端部の往管路に、円筒状濾過装置の上端部の流出口が、該往復管路先端部の復管路に、円筒状濾過装置を吊下げる形で接続され、該復管路基部の復管路を通って、出水口からミネラルウォーター類が、顧客の持参した受水容器に供給され、該往復管路の往管路と復管路は水平で近接並行してなる」という特徴的構成とすることにより、該往復管路は、先端部が応力開放された片持ち梁構造となっているため、気温あるいはネラルウォーター類の温度に起因する熱応力が作用しないため、往復管路に接続した電磁弁、流量計、流量調整バルブが故障した場合に、これらの機器を取替え工事が容易に行うことができる。
「円筒状濾過装置の上端部の流入口が、該往復管路先端部の往管路に、円筒状濾過装置の上端部の流出口が、該往復管路先端部の復管路に、円筒状濾過装置を吊下げる形」を採ることにより、周期的に取替えが必要となる円筒状濾過装置を、相互に近接している円筒状濾過装置の上端部の流入口と円筒状濾過装置の上端部の流出口を往復管路より機械的に脱着させることにより、簡便に円筒状濾過装置を取り替えることが可能となる。
この理由は、円筒状濾過装置は吊下げられることにより、下端側は応力的に開放されており、気温あるいはネラルウォーター類の温度に起因する熱応力が作用しないため、円筒状濾過装置の上端部の流入口と円筒状濾過装置の上端部の流出口に内部応力が働かないため、応力開放による寸法変化が少なく、円筒状濾過装置が簡便に行うことができるためである。
（３）濾過装置は円筒状の吊下げタイプであるから、設置面積を狭小とすることができ（図７に示す円筒状の吊下げタイプ横型濾過装置２４、２５の使用状態におけるハウジング１１の横幅寸法Ｗ１は、で、図９に示す横タイプ濾過装置２４０、２５０の使用状態におけるハウジング１１の横幅寸法Ｗ２と比較し、給水装置の横幅寸法は短くコンパクト化することができる。）、さらに給水装置を設置場所に搬入後、タンク接続口に接続管路を介して貯水タンクに接続するだけで、ミネラルウォーター類自動販売装置の組立は早々に完了でき、施工費を安価とすることができる。
＊＊＊＊＊＊＊＊＊＊＊＊＊＊＊＊＊＊＊＊＊＊＊＊＊＊＊＊＊＊＊＊＊＊＊＊＊＊＊＊
上記により、本願考案の課題である、ミネラルウォーター類に溶解しているミネラル成分、味覚及び風味等を損なうことなく、常時貯水タンクに貯水しておき顧客の持参した大型容器内に効率よく所定量流入して販売すると共に、設置作業や施工性が好適なミネラルウォーター類自動販売装置を提供することができた。
【００１７】
○第２考案によれば、前記貯水タンク内容器は、鋼製のメッシュ状外枠で被覆されると共に、貯水タンクの底部隅部には緩衝部材を配設しているので、貯水タンクの設置作業、ミネラルウォーター類の補充作業等における貯水タンクへの耐衝撃性を高め、また破損防止等の効果を有している。
【００１８】
○第３考案によれば、前記ハウジングの正面板には、残量ランプ、給水スイッチ、出水口が配備されると共に、取り扱い説明書が貼付されているので、顧客は、購入希望の水量料金を係員に支払った後、給水スイッチを操作し、出水口から所定量のミネラルウォーター類を、持参した大型の受水容器に簡便に給水することはもちろん、顧客の都合のよい時刻に希望する水量を購入することができるという利便性がある。
【００１９】
○第４考案によれば、前記円筒状濾過装置は、濾過フィルターとステンレス製のケーシングからなり、当該ケーシングは、ハウジングの壁面に取付具を介して垂直に掛吊されているので、内部のミネラルウォーター類は、地面上及び外気の温度変化に影響され難いうえに、ケーシング本体は、配管重量による初期応力が負荷されない利点がある。まミネラルウォーター類は、ケーシング内に上方から垂直に落下し、撹拌されながら濾過フィルター内に入り効率よく濾過される。さらに定期的に行われる濾過フィルターの交換作業も簡便に行うことができる。
【００２０】
○第５考案によれば、前記電磁弁、流量計、流量調整バルブ及びこれらを連結する水平往復管路は、前記出水口と略同一水平面であるから、電磁弁、流量計等の機器類と水平往復管路等の配管、取付け作業は、作業者が無理な体勢で作業することがなく円滑に遂行される。
また、メンテナンス作業は容易で、例えば水平往復管路等からの漏水があったときは、落下水を透明な背面板を介して視認することができ、直ちに修理することができる。
【００２１】
○第６考案によれば、前記ハウジングの正面板底部には、受水容器載置用の台板が設置されているので、衛生上、好適である。
○第７考案によれば、前記台板の底部四隅には、キャスター又は固定ボルトが配設されているので、給水装置の設置作業、移転作業等を容易に行うことができる。
○第８考案によれば、前記ハウジングは、背面板を除きステンレス製であるから、給水装置の清掃作業は、洗浄水のみで簡便かつ効率よく行うことができる。
【考案を実施するための最良の形態】
【００２２】
以下、本願考案に係る、ミネラルウォーター類自動販売装置（以下、単に、自動販売装置Ｍともいう）に関する最良の実施形態について、図面を参照しながら説明する。図１は、二連型自動販売装置Ｍの全体構成を示す斜視図、図２は、給水装置の正面図、図３は、同側面図、図４は、同一部切欠背面図、図５は、円筒状濾過装置近傍部位の一部切欠拡大断面図、図６は、ミネラルウォーター類の流れを示す説明図、図７は、水平往復管路及び円筒状濾過装置等の配管状態を説明する平面図、図８は本願考案の吊下げタイプ濾過装置の配管状態を説明する正面図である。図９は、横タイプ濾過装置の配管状態を説明する正面図、図１０は、給水装置における他の実施例の正面図、図１１は、給水装置における他の実施例の一部切欠背面図、図１２は、給水装置における他の実施例の側面図である。
ここに、吊下げタイプ濾過装置とは、図８に示すように、円筒濾過装置の長手方向が垂直であるものであるに対して、横タイプ濾過装置とは、図９に示すように、円筒濾過装置の長手方向が水平方向であるものをいう。
【００２３】
図１に示すように、自動販売装置Ｍは、採水地からタンクロ−リ等により搬送されミネラルウォーター類を貯水する貯水タンク１と接続管路２、タンク接続口２ａを介して連結される給水装置１０からなり、貯水タンク１は、超高分子量高密度ポリエチレン製の内容器１ａ、鋼製メッシュ状外枠１ｂ、基盤１ｃ、天板１ｄ及び緩衝部材１ｅからなっている。鋼製メッシュ状外枠１ｂは、貯水タンク１を設置又は移設作業時において、例えばフォークリフト等の機器を使用するためにその誤動作等による内容器１ａの破損を防止することを主目的としている。また緩衝部材１ｅは、内容器１ａと同一素材からなり、基盤１ｃの上面で内容器１ａの底部四隅部に配設されている。緩衝部材１ｅは、鋼製メッシュ状外枠１ｂと同様に、貯水タンク１の設置又は移設作業時等において偶発的に起きる対物衝撃から内容器１ａを防護する目的で配設されている。
【００２４】
給水装置１０は、図１〜図４に示すように、ハウジング１１内の台板１１ｋ上に設置された加圧ポンプ１２、垂直管路１３の左右に水平往管路１４、１５、流量計１６、１７、電磁弁１８、１９、流量調整バルブ２０、２１を配備し、左円筒状濾過装置２４が、エルボ２２の直下で取付具２６により機械的に接続され吊下げられており、右円筒状濾過装置２５が、エルボ２３の直下に直下で取付具２７により機械的に接続され吊下げられている。
２８及び２９は取付ナットで、３０、３１は送水管用エルボで、３２はエアー抜き弁、３３は開閉可能とした透明な背面板である。３６はハウジング１１内の上部に設置された、制御盤等からなる制御装置、３７は排水管で、３８は換気口である。
エアー抜き弁３２は、加圧ポンプ始動時等において、配管等に滞留しているエアーを抜くために設けられている。
【００２５】
図１及び図２に示すように、ハウジング１１の正面板１１ａには、残量ランプ１１ｂ、１１ｃ、給水スイッチ１１ｄ、１１ｅ、出水口１１ｆ、１１ｈが配備されると共に、取り扱い説明書１１ｊが正面板１１ａの略中央に貼付されている。正面板１１ａの底部には、２０Ｌ入り大型の受水容器等の大型受水容器を載置するための台板１１ｋが設置されており、また台板１１ｋの底部四隅にはキャスター１１ｍが配設されている。ハウジング１１は、背面板３３を除きステンレス製である。
【００２６】
図５は、左円筒状濾過装置２４近傍部位の一部を切欠した拡大断面図で、左円筒状濾過装置２４は、濾過フィルター２４ａとケーシング２４ｂとからなり、濾過フィルター２４ａは、０．１〜０．２μのフィルターシートを層状に複数枚ロール状に巻回し、これを多数の導通孔２４ｃを穿設した濾過フィルター２４ａの外周面に装着している。送出管２４ｄは、ケーシング２４ｂの中心部に垂設され、その上部管路は送水管用エルボ３０を介して送水管３４を経由し、出水口１１ｈに接続されている。図中の矢印は、加圧ポンプ１２で加圧されミネラルウォーター類の濾過フィルター２４ａへの通水方向を示している。ケーシング２４ｂは、ハウジング１１の正面板１１ａ裏面に取付具２６で掛吊されている。また濾過フィルター２４ａは、所定期間使用後に取付具２６及び取付ナット２８等を取り外し、濾過効率を高めるために適宜交換される。なお右円筒状濾過装置２５の構造は、左円筒状濾過装置２４と同様であるから説明を省略する。
【００２７】
図６及び図７において、左円筒状濾過装置２４と右円筒状濾過装置２５は、垂直管路１３の左右に水平状に配設され、加圧ポンプ１２から押し上げられミネラルウォーター類は、水平往管路１４、１５を経由して、それぞれ左円筒状濾過装置２４内と右円筒状濾過装置２５内に落下して濾過フィルター２４ａ、２５ａにより濾過され、送出管２４ｄ、２５ｄを上昇し、送水管３４を経由し、出水口１１ｈに送水される。図８に示すＷ１は、ハウジング１１の横幅寸法で、図９に示す横型濾過装置２４０、２５０の使用状態における横幅寸法Ｗ２と比較し、明らかにハウジング１１の占有面積が少ないことを示している。１２０は加圧ポンプ、１３０は垂直管路、１６０、１７０は流量計、１８０、１９０は、電磁弁である。
【００２８】
図１及び図２に示す正面板１１ａの取り扱い説明書１１ｊには、「給水機の使い方」として、「レバーを上に上げると２０リットル給水します、途中で止めたい時はもう一度レバーを上げて下さい。」、「またレバーを下げると、下げている間給水されます。」との内容が記載されている。
【００２９】
次に自動販売装置Ｍの動作態様を、図２〜図５を中心にして説明する。ミネラルウォーター類の購入希望顧客は、購入水量、例えば２０リットルの料金３，１５０円を係員に支払った後、持参した２０リットル用の大型の受水容器を、ハウジング１１の正面板１１ａの残量ランプ１１ｃの点灯を確認し、出水口１１ｈの直下に載置し、取り扱い説明書１１ｊの記載内容に従って給水スイッチ１１ｅのレバーを上方に上げると、加圧ポンプ１２が駆動し、ポンプ１２内のミネラルウォーター類は加圧され、垂直管路１３、水平往管路１４、流量計１６を経て開かれた電磁弁１８を通水し、突出管２２ａから左円筒状濾過装置２４のケーシング２４ｂ内に放水され、放水されミネラルウォーター類は、濾過フィルター２４ａで濾過されて導通孔２４ｃから送出管２４ｄに吸引され、送水管用エルボ３０、送水管３４を経由し、出水口１１ｈから大型の受水容器内に給水され、所定の水量２０リットルを給水したら制御装置３６が起動して電磁弁１８は閉鎖され、出水は停止する。流量調整バルブ２０は、給水スイッチ１１ｅのレバーが下げられたときに開放し給水される。なお図示しないが、例えば右円筒状濾過装置２５側の送水管３５と出水口１１ｆ間にヒータを装着し、温水として給水することも可能である。
【００３０】
図１０〜図１２は、自動販売装置Ｍにおける一連型給水装置４０を示し、ハウジング４１は、図１１に示すように、貯水タンク１と接続管路４２、タンク接続口４２ａを介して連結されている。ハウジング４１の正面板４１ａには、残量ランプ４１ｂ、給水スイッチ４１ｃ、出水口４１ｄが配備されると共に、取り扱い説明書４１ｅが給水スイッチ４１ｃの直下に貼付されている。正面板４１ａの底部には、２０Ｌ入り大型の受水容器等の大型受水容器を載置するための台板４１ｆが設置されており、また台板４１ｆの底部四隅には固定ボルト４１ｎが配設されている。ハウジング４１は、背面板４３を除きステンレス製である。
【００３１】
図１１は、給水装置４０の一部切欠背面図で、ハウジング４１内の台板４１ｆ上に設置された加圧ポンプ４２、垂直管路４３、流量計４４、水平往復管路４５、電磁弁４６、流量調整バルブ４７を配備し、濾過装置４８が取付具４９により吊下げられている。濾過装置４８は、濾過フィルター４８ａとケーシング４８ｂとからなり、濾過フィルター４８ａは、０．１〜０．２μのフィルターシートを層状に複数枚ロール状に巻回し、これを送出管４８ｃの外周面に装着している。５０は取付ナットで、５１は送水管、５２はエアー抜き弁、５３は開閉可能とした透明な背面板である。５４はハウジング４１内の上部に設置された、制御盤等からなる制御装置、５５は排水管で、５６は換気口である。
【００３２】
給水装置４０の使用態様は、図２〜図５において上述した内容と同様であるから、その説明は省略する。
【図面の簡単な説明】
【００３３】
【図１】は、本願考案に係る、二連型自動販売装置Ｍの全体構成を示す斜視図である。
【図２】は、給水装置の正面図である。
【図３】は、給水装置の側面図である。
【図４】は、給水装置の一部切欠背面図である。
【図５】は、濾過装置近傍部位の一部切欠拡大断面図である。
【図６】は、ミネラルウォーター類の流れを示す説明図である。
【図７】は、水平往復管路及び円筒状濾過装置等の配管状態を説明する平面図である。
【図８】は、本願考案の吊下げタイプ濾過装置の配管状態を説明する正面図である。
【図９】は、横タイプ濾過装置の配管状態を説明する正面図である。
【図１０】は、給水装置における他の実施例の正面図である。
【図１１】は、給水装置における他の実施例の一部切欠背面図である。
【図１２】は、給水装置における他の実施例の側面図である。
【符号の説明】
【００３４】
Ｍ                          ミネラルウォーター類自動販売装置
１                          貯水タンク
２                          接続管路
１０                        給水装置
１１                        ハウジング
１２                        加圧ポンプ
１３                        垂直管路
１４、１５                  水平往管路
１４１、１５１              水平復管路
１４と１４                  左水平往復管路
１５と１５１                右水平往復管路
１６、１７                  流量計
１８、１９                  電磁弁
２０、２１                  流量調整バルブ
２４                        左濾過装置
２４ａ                      濾過フィルター
２４ｂ                      ケーシング
２４ｃ                      導通孔
２４ｄ                      送出管
２５                        右濾過装置
２６、２７                  取付具
３６                        制御装置
１ａ                        内容器
１ｂ                        鋼製メッシュ状外枠
１ｅ                        緩衝部材
１１                        ハウジング
１１ａ                      正面板
１１ｂ、１１ｃ              残量ランプ
１１ｄ、１１ｅ              給水スイッチ
１１ｆ、１１ｈ              出水口
１１ｊ、４１ｅ              取り扱い説明書
１１ｋ                      台板
１１ｍ                      キャスター
１１ｎ                      固定ボルト
【図１】
0003132010.tif 000004
【図２】
0003132010.tif 000005
【図３】
0003132010.tif 000006
【図４】
0003132010.tif 000007
【図５】
0003132010.tif 000008
【図６】
0003132010.tif 000009
【図７】
0003132010.tif 000010
【図８】
0003132010.tif 000011
【図９】
0003132010.tif 000012
【図１０】
0003132010.tif 000013
【図１１】
0003132010.tif 000014
【図１２】
0003132010.tif 000015